【手続補正書】
【提出日】平成19年1月5日(2007.1.5)
【手続補正１】
【補正対象書類名】明細書
【補正対象項目名】発明の名称
【補正方法】変更
【補正の内容】
【発明の名称】画像処理装置、画像処理方法及びコンピュータ読み取り可能な記憶媒体
【手続補正２】
【補正対象書類名】明細書
【補正対象項目名】特許請求の範囲
【補正方法】変更
【補正の内容】
【特許請求の範囲】
【請求項１】  被写体に放射線を照射することにより得られた画像データの諧調処理を行う画像処理装置において、
す抜け領域及びす抜け領域と一定幅で接する領域に基づき被写体領域を抽出する手段と、
横軸が画素値で縦軸が該画素値の出現頻度を示す濃度ヒストグラムを前記被写体領域の画像データから作成する手段と、
該ヒストグラムの形状から前記画像データの階調変換のための特徴量を算出する手段と、
を有することを特徴とする画像処理装置。
【請求項２】  前記特徴量に基づいて前記画像データの階調を制御する制御手段を有することを特徴とする請求項１に記載の画像処理装置。
【請求項３】  前記横軸上において互いに等間隔に位置する３点での出現頻度を比較することにより前記ヒストグラムの凸部領域を抽出し、該凸部領域における最大の出現頻度を示す画素値に基づいて前記特徴量を算出することを特徴とする請求項１に記載の画像処理装置。
【請求項４】  前記被写体領域内の画像データにおける前記最大の出現頻度を示す画素値以下の画素平均値を前記特徴量とすることを特徴とする請求項３に記載の画像処理装置。
【請求項５】  前記ヒストグラムにおいて前記最大の出現頻度を示す画素値以下の値を示す画素値の出現頻度と該画素値の値を積和し、該最大の出現頻度を示す画素値以下の値を示す画素値の出現頻度で該積和を除算して前記特徴量を算出することを特徴とする請求項３に記載の画像処理装置。
【請求項６】  被写体に放射線を照射することにより得られた画像データの諧調処理を行う画像処理方法において、
す抜け領域及びす抜け領域と一定幅で接する領域に基づき被写体領域を抽出する工程と、
横軸が画素値で縦軸が該画素値の出現頻度を示す濃度ヒストグラムを前記被写体領域の画像データから作成する工程と、
該ヒストグラムの形状から前記画像データの階調変換のための特徴量を算出する工程と、
を有することを特徴とする画像処理方法。
【請求項７】  被写体に放射線を照射することにより得られた画像データの諧調処理を行うためにコンピュータを、
す抜け領域及びす抜け領域と一定幅で接する領域に基づき被写体領域を抽出する手段と、
横軸が画素値で縦軸が該画素値の出現頻度を示す濃度ヒストグラムを前記被写体領域の画像データから作成する手段と、
該ヒストグラムの形状から前記画像データの階調変換のための特徴量を算出する手段として機能させるためのプログラムを記録したコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、入力画像のダイナミックレンジの拡大、圧縮を行う技術に関し、特に、Ｘ線撮影された画像の微細構造を保存したまま特定領域のダイナミックレンジを拡大、縮小する場合に用いて好適なものである。
【手続補正４】
【補正対象書類名】明細書
【補正対象項目名】００１１
【補正方法】変更
【補正の内容】
【００１１】
本発明は、上記の問題に鑑みて為されたもので、放射線画像中の微細構造を示す画像の階調を保存しつつ、該放射線画像中の任意の画像領域の階調を圧縮或は拡大し、放射線画像における所望の観察領域の画像の階調を適正な状態に保ちながら該放射線画像の階調を所望の階調にすることを目的とする。
【手続補正５】
【補正対象書類名】明細書
【補正対象項目名】００１２
【補正方法】変更
【補正の内容】
【００１２】
【課題を解決するための手段】
本発明の画像処理装置は、被写体に放射線を照射することにより得られた画像データの諧調処理を行う画像処理装置において、す抜け領域及びす抜け領域と一定幅で接する領域に基づき被写体領域を抽出する手段と、横軸が画素値で縦軸が該画素値の出現頻度を示す濃度ヒストグラムを前記被写体領域の画像データから作成する手段と、該ヒストグラムの形状から前記画像データの階調変換のための特徴量を算出する手段と、を有することを特徴とする。
本発明の画像処理方法は、被写体に放射線を照射することにより得られた画像データの諧調処理を行う画像処理方法において、す抜け領域及びす抜け領域と一定幅で接する領域に基づき被写体領域を抽出する工程と、横軸が画素値で縦軸が該画素値の出現頻度を示す濃度ヒストグラムを前記被写体領域の画像データから作成する工程と、該ヒストグラムの形状から前記画像データの階調変換のための特徴量を算出する工程と、有することを特徴とする。
本発明のコンピュータ読み取り可能な記憶媒体は、被写体に放射線を照射することにより得られた画像データの諧調処理を行うためにコンピュータを、す抜け領域及びす抜け領域と一定幅で接する領域に基づき被写体領域を抽出する手段と、横軸が画素値で縦軸が該画素値の出現頻度を示す濃度ヒストグラムを前記被写体領域の画像データから作成する手段と、該ヒストグラムの形状から前記画像データの階調変換のための特徴量を算出する手段として機能させるためのプログラムを記録したことを特徴とする。
【手続補正６】
【補正対象書類名】明細書
【補正対象項目名】００７４
【補正方法】変更
【補正の内容】
【００７４】
【発明の効果】
本発明によれば、放射線画像中の被写体領域の濃度ヒストグラムより画像の特徴量を算出するので、該放射線画像中の被写体領域における特徴量を安定して抽出することができ、該放射線画像の階調を該放射線画像中の被写体領域の濃度ヒストグラムより得られる特徴量に基づいて所望の階調にすることができる。例えば、放射線画像中の被写体領域における最大画素濃度値が所定の画素濃度値よりも小さい場合でも、微細構造を示す画像を保存したままで該放射線画像のダイナミックレンジを拡大或は圧縮し、放射線画像中の被写体領域を有効に活用することができる。
【手続補正７】
【補正対象書類名】明細書
【補正対象項目名】００７５
【補正方法】削除
【補正の内容】
【手続補正８】
【補正対象書類名】明細書
【補正対象項目名】００７６
【補正方法】削除
【補正の内容】
【手続補正９】
【補正対象書類名】明細書
【補正対象項目名】００７７
【補正方法】削除
【補正の内容】
【手続補正１０】
【補正対象書類名】明細書
【補正対象項目名】００７８
【補正方法】削除
【補正の内容】
【手続補正１１】
【補正対象書類名】明細書
【補正対象項目名】００７９
【補正方法】削除
【補正の内容】
【手続補正１２】
【補正対象書類名】明細書
【補正対象項目名】００８０
【補正方法】削除
【補正の内容】
【手続補正１３】
【補正対象書類名】明細書
【補正対象項目名】００８１
【補正方法】削除
【補正の内容】
【手続補正１４】
【補正対象書類名】明細書
【補正対象項目名】００８２
【補正方法】削除
【補正の内容】
【手続補正１５】
【補正対象書類名】明細書
【補正対象項目名】００８３
【補正方法】削除
【補正の内容】
【手続補正１６】
【補正対象書類名】明細書
【補正対象項目名】００８４
【補正方法】削除
【補正の内容】
【手続補正１７】
【補正対象書類名】明細書
【補正対象項目名】００８５
【補正方法】削除
【補正の内容】
【手続補正１８】
【補正対象書類名】明細書
【補正対象項目名】００８６
【補正方法】削除
【補正の内容】
【手続補正１９】
【補正対象書類名】明細書
【補正対象項目名】００８７
【補正方法】削除
【補正の内容】
【手続補正２０】
【補正対象書類名】明細書
【補正対象項目名】００８８
【補正方法】削除
【補正の内容】
【手続補正２１】
【補正対象書類名】明細書
【補正対象項目名】００８９
【補正方法】削除
【補正の内容】
【手続補正２２】
【補正対象書類名】明細書
【補正対象項目名】００９０
【補正方法】削除
【補正の内容】
【手続補正２３】
【補正対象書類名】明細書
【補正対象項目名】００９１
【補正方法】削除
【補正の内容】
【手続補正２４】
【補正対象書類名】明細書
【補正対象項目名】００９２
【補正方法】削除
【補正の内容】
【手続補正２５】
【補正対象書類名】明細書
【補正対象項目名】００９３
【補正方法】削除
【補正の内容】
【手続補正２６】
【補正対象書類名】明細書
【補正対象項目名】００９４
【補正方法】削除
【補正の内容】
【手続補正２７】
【補正対象書類名】明細書
【補正対象項目名】００９５
【補正方法】削除
【補正の内容】
【手続補正２８】
【補正対象書類名】明細書
【補正対象項目名】００９６
【補正方法】削除
【補正の内容】
【手続補正２９】
【補正対象書類名】明細書
【補正対象項目名】００９７
【補正方法】削除
【補正の内容】
【手続補正３０】
【補正対象書類名】明細書
【補正対象項目名】００９８
【補正方法】削除
【補正の内容】
【手続補正３１】
【補正対象書類名】明細書
【補正対象項目名】００９９
【補正方法】削除
【補正の内容】
【手続補正３２】
【補正対象書類名】明細書
【補正対象項目名】０１００
【補正方法】削除
【補正の内容】